(57)【要約】【課題】頭部装着型ディスプレイ装置において、大型化や重量増加を抑制しつつ、臨場感を観察者に提供する。【解決手段】頭部装着型ディスプレイ装置は、ユーザの瞳孔が前方を向いた状態において瞳孔の前方に配置され、第１の画像を表示する第１の表示部と、瞳孔の斜め前方に配置され、第２の画像を表示する第２の表示部と、瞳孔と第１の表示部との間に配置され、第１の画像を瞳孔に投影する第１の接眼レンズと、瞳孔と第２の表示部との間に配置され、第２の画像を瞳孔に投影する第２の接眼レンズと、を備える。第２の表示部及び第２の接眼レンズは、第２の画像の少なくとも一部を、ユーザの網膜の後方に向かって集光させる。【選択図】図１
2018005221.tif 000002
【特許請求の範囲】
【請求項１】
ユーザの頭部に装着して使用される頭部装着型ディスプレイ装置であって、
前記ユーザの瞳孔が前記ユーザの前方を向いた状態において前記瞳孔の前方に配置され、第１の画像を表示する第１の表示部と、
前記状態において前記瞳孔の斜め前方に配置され、第２の画像を表示する第２の表示部と、
前記状態において前記瞳孔と前記第１の表示部との間に配置され、前記第１の画像を前記瞳孔に投影する第１の接眼レンズと、
前記状態において前記瞳孔と前記第２の表示部との間に配置され、前記第２の画像を前記瞳孔に投影する第２の接眼レンズと、を備え、
前記第２の表示部及び前記第２の接眼レンズは、前記第２の画像の少なくとも一部を、前記ユーザの網膜の後方に向かって集光させる、
頭部装着型ディスプレイ装置。
【請求項２】
前記第２の表示部と前記第２の接眼レンズの間の距離は、前記第１の表示部から遠さかるほど短くなる、
請求項１に記載の頭部装着型ディスプレイ装置。
【請求項３】
前記第２の接眼レンズの一端は前記第１の接眼レンズに接し、
前記第２の接眼レンズの光軸方向から見て、前記第２の接眼レンズの前記一端は直線形状であり、前記一端とは反対側の他端は円弧形状である、
請求項１又は２に記載の頭部装着型ディスプレイ装置。
【請求項４】
前記第２の接眼レンズの前記第２の表示部側のレンズ面は、レンズの内側から外側に向かって配列された複数の輪帯面と、前記複数の輪帯面のうち隣接する２つの間をそれぞれつなぐ複数のライズ面とを含む、
請求項１から３のいずれか一項に記載の頭部装着型ディスプレイ装置。
【請求項５】
前記第２の接眼レンズの前記第２の表示部側の前記レンズ面のうち、中心よりも前記第１の接眼レンズに近い領域内において、前記複数のライズ面のそれぞれの法線ベクトルは、前記第２の接眼レンズの光軸に垂直に向かう方向を基準として、前記第２の表示部に近づく方向に傾斜している、
請求項４に記載の頭部装着型ディスプレイ装置。
【請求項６】
前記第１の接眼レンズの水平方向における画角が、６０°以上１２０°以下である、
請求項１から５のいずれか一項に記載の頭部装着型ディスプレイ装置。
【請求項７】
前記第１の接眼レンズの前記第１の表示部側のレンズ面は、レンズの外側に向かって配列された複数の輪帯面と、前記複数の輪帯面のうち隣接する２つの間をそれぞれつなぐ複数のライズ面とを含む、
請求項１から６のいずれか一項に記載の頭部装着型ディスプレイ装置。
【請求項８】
前記第１の接眼レンズの前記第１の表示部側の前記レンズ面は、前記複数の輪帯面に囲まれる凸レンズ面をさらに含み、
前記凸レンズ面の頂点は、前記複数の輪帯面に接する包絡面よりも、前記第１の表示部の側に突出している、
請求項７に記載の頭部装着型ディスプレイ装置。
【請求項９】
前記第２の接眼レンズの前記複数の輪帯面のそれぞれにおいて、輪帯面の幅は前記第１の接眼レンズから遠ざかるほど狭くなる、
請求項４又は５に記載の頭部装着型ディスプレイ装置。
【請求項１０】
前記第２の接眼レンズの前記第２の表示部側の前記レンズ面のうち、中心よりも前記第１の接眼レンズの近い領域を第１の領域とし、前記中心よりも前記第１の接眼レンズから遠い領域を第２の領域とするとき、前記第２の領域内における前記複数のライズ面の幅の少なくとも１つは、前記第１の領域内における前記複数のライズ面の幅よりも大きい、
請求項４に記載の頭部装着型ディスプレイ装置。
【請求項１１】
前記第２の接眼レンズの前記ユーザ側のレンズ面の一端と、前記第１の接眼レンズの前記ユーザ側のレンズ面の一端とは、前記ユーザの視野のうち鉛直方向の２０°以上の領域にわたって、接触している、
請求項１から１０のいずれか一項に記載の頭部装着型ディスプレイ装置。
【請求項１２】
前記第１の表示部から前記第１の接眼レンズに光が伝搬する空間と、前記第２の表示部から前記第２の接眼レンズに光が伝搬する空間とが、互いに離間している、
請求項１から１１のいずれか１項に記載の頭部装着型ディスプレイ装置。
【請求項１３】
前記第１の表示部及び前記第２の表示部は、１つの曲面ディスプレイパネルに含まれる、
請求項１から１２のいずれか１項に記載の頭部装着型ディスプレイ装置。
【請求項１４】
前記曲面ディスプレイパネルは、可撓性を有する、
請求項１３に記載の頭部装着型ディスプレイ装置。
【請求項１５】
オリジナル画像を取得し、前記オリジナル画像から前記第１の画像と前記第２の画像とを抽出する、画像処理装置をさらに備え、
前記第１の画像の一部は、前記第２の画像の一部と重複する、
請求項１から１４のいずれか１項に記載の頭部装着型ディスプレイ装置。
【請求項１６】
前記画像処理装置は、さらに、抽出された前記第１の画像と抽出された前記第２の画像との少なくとも一方を補正して、前記第２の画像のサイズを前記第１の画像のサイズよりも小さくする、
請求項１５に記載の頭部装着型ディスプレイ装置。
【請求項１７】
抽出された前記第２の画像の水平方向の長さは、抽出された前記第１の画像の水平方向の長さよりも短い、
請求項１５又は１６に記載の頭部装着型ディスプレイ装置。
【請求項１８】
前記画像処理装置は、さらに、前記第１の接眼レンズの収差特性に応じて前記第１の画像を補正し、かつ／または、前記第２の接眼レンズの収差特性に応じて前記第２の画像を補正する、
請求項１５から１７のいずれか１項に記載の頭部装着型ディスプレイ装置。
【請求項１９】
前記画像処理装置は、さらに、前記第１の表示部の視野角特性に応じて前記第１の画像の色調を補正し、かつ／または、前記第２の表示部の視野角特性に応じて前記第２の画像の色調を補正する、
請求項１５から１８のいずれか１項に記載の頭部装着型ディスプレイ装置。
【請求項２０】
前記第１の接眼レンズは、前記第１の表示部の視野角特性に応じて前記第１の画像の色調を調整するためのフィルム、コーティング層、またはフィルタを含み、かつ／または、
前記第２の接眼レンズは、前記第２の表示部の視野角特性に応じて前記第２の画像の色調を調整するためのフィルム、コーティング層、またはフィルタを含む、
請求項１から１８のいずれか１項に記載の頭部装着型ディスプレイ装置。
【発明の詳細な説明】
【技術分野】
【０００１】
本開示は、頭部装着型ディスプレイ装置に関する。
【背景技術】
【０００２】
近年、画像を表示するディスプレイ装置は、観察者（ユーザ）が体験する立体感や臨場感を向上させるために、大型化している。
【０００３】
立体感や臨場感などの広視野効果を観察者がより得るためには、観察者の視野における水平１００度（左側および右側それぞれが５０度）の領域全体におよぶ表示画面をディスプレイ装置が備える必要がある（１００度近傍で、広視の効果は飽和する）。しかし、この場合、ディスプレイ装置は、観察者の２ｍ前方に配置される２００インチ以上の表示画面を備える必要がある。
【０００４】
このような大型の据え置き型のディスプレイ装置に代わって、例えば特許文献１に記載するように、観察者の頭部に装着されて使用される頭部装着型ディスプレイ装置が知られている。
【０００５】
特許文献１に記載の頭部装着型ディスプレイ装置は、観察者の頭部に装着すると該観察者の眼球の瞳孔の前方に配置される表示部（液晶表示パネル）と、液晶表示パネルと観察者の眼球との間に配置され、液晶表示パネルに表示された画像を瞳孔に拡大投影する接眼レンズとを備える。
【先行技術文献】
【特許文献】
【０００６】
【特許文献１】特開平７−７２４２０号公報
【発明の概要】
【発明が解決しようとする課題】
【０００７】
本開示は、頭部装着型ディスプレイ装置において、大型化や重量増加を抑制しつつ、さらなる臨場感を観察者に提供する。
【課題を解決するための手段】
【０００８】
本開示の一態様に係る頭部装着型ディスプレイ装置は、ユーザの頭部に装着して使用される頭部装着型ディスプレイ装置である。当該頭部装着型ディスプレイ装置は、前記ユーザの瞳孔が前記ユーザの前方を向いた状態において前記瞳孔の前方に配置され、第１の画像を表示する第１の表示部と、前記状態において前記瞳孔の斜め前方に配置され、第２の画像を表示する第２の表示部と、前記状態において前記瞳孔と前記第１の表示部との間に配置され、前記第１の画像を前記瞳孔に投影する第１の接眼レンズと、前記状態において前記瞳孔と前記第２の表示部との間に配置され、前記第２の画像を前記瞳孔に投影する第２の接眼レンズと、を備える。前記第２の表示部及び前記第２の接眼レンズは、前記第２の画像の少なくとも一部を、前記ユーザの網膜の後方に向かって集光させる。
【発明の効果】
【０００９】
本開示によれば、頭部装着型ディスプレイ装置において、大型化や重量増加を抑制しつつ、さらなる臨場感を観察者に提供することができる。
【図面の簡単な説明】
【００１０】
【図１】図１は、第１の実施の形態に係る、観察者の頭部に装着された状態の頭部装着型ディスプレイ装置の概略構成図である。
【図２】図２は、観察者の視線が前方に向いた状態における、頭部装着型ディスプレイ装置の左眼用の光学系を示す図である。
【図３】図３は、観察者の視線が斜め前方に向いた状態における、頭部装着型ディスプレイ装置の左眼用の光学系を示す図である。
【図４】図４は、ディスプレイの概略斜視図である。
【図５】図５は、人間の視野を説明するための図である。
【図６】図６は、人間の視覚に関する情報識別能力を示す図である。
【図７】図７は、観察者側から見た頭部装着型ディスプレイ装置を概略的に示す図である。
【図８Ａ】図８Ａは、第１の接眼レンズの断面を示す図である。
【図８Ｂ】図８Ｂは、第１の接眼レンズの上面を示す図である。
【図９Ａ】図９Ａは、第２の接眼レンズの断面を示す図である。
【図９Ｂ】図９Ｂは、第２の接眼レンズの上面を示す図である。
【図１０】図１０は、比較例のフレネルレンズを示す図である。
【図１１】図１１は、実施の形態に係る第２の接眼レンズを示す図である。
【図１２】図１２は、ディスプレイと接眼レンズとの間の距離を説明するための図である。
【図１３】図１３は、頭部装着型ディスプレイ装置の画像処理ユニットの構成を示す図である。
【図１４】図１４は、３６０度パノラマ画像を示す図である。
【図１５】図１５は、２１０度の範囲の領域を示す図である。
【図１６】図１６は、ディスプレイに表示する第１および第２の画像の抽出を説明するための図である。
【図１７】図１７は、比較例の第１および第２の画像の見え方を示す図である。
【図１８】図１８は、実施の形態に係る第１および第２の画像の見え方を示す図である。
【図１９】図１９は、第１および第２の画像のサイズ補正を説明するための図である。
【図２０】図２０は、第１および第２の画像の歪曲収差補正の一例を説明するための図である。
【図２１】図２１は、観察者が見える画像を示す図である。
【図２２】図２２は、第２の実施の形態に係る頭部装着型ディスプレイ装置の概略斜視図である。
【図２３】図２３は、第３の実施の形態に係る頭部装着型ディスプレイ装置の概略斜視図である。
【図２４】図２４は、第４の実施の形態に係る頭部装着型ディスプレイ装置の概略構成図である。
【図２５】図２５は、さらに異なる実施の形態に係る頭部装着型ディスプレイ装置の第２の接眼レンズを示す図である。
【発明を実施するための形態】
【００１１】
近年、頭部装着型ディスプレイ装置においては、さらなる臨場感の向上が求められている。しかし、このために表示部（例えば液晶表示パネル）や接眼レンズを大型化すると、頭部装着型ディスプレイ装置が大型化するとともに重量が増加する。その結果、頭部装着型ディスプレイ装置の使用感が悪化する。本開示は、頭部装着型ディスプレイ装置において、大型化や重量増加を抑制しつつ、さらなる臨場感を観察者に提供する。
【００１２】
本開示の一態様の頭部装着型ディスプレイ装置は、観察者の頭部に装着して使用される頭部装着型ディスプレイ装置であって、観察者が前方視する瞳孔に対面し該瞳孔の前方の位置に配置され、第１の画像を表示する第１の表示部と、観察者が前方視する瞳孔に対面し該瞳孔の斜め前方の位置に配置され、第２の画像を表示する第２の表示部と、瞳孔と第１の表示部との間の位置に配置され、第１の画像を瞳孔に投影する第１の接眼レンズと、瞳孔と第２の表示部との間の位置に配置され、第２の画像を瞳孔に投影する第２の接眼レンズと、を有し、第２の表示部が、観察者の眼球の網膜上に第２の画像が結像するときの位置より第２の接眼レンズ側に少なくとも一部が存在するように、第２の接眼レンズに対して配置されている。
【００１３】
このような構成によれば、頭部装着型ディスプレイ装置において、大型化や重量増加を抑制しつつ、さらなる臨場感を観察者に提供することができる。
【００１４】
例えば、第２の表示部が、第１の表示部から遠い部分が第１の表示部から近い部分に比べて第２の接眼レンズに接近して配置されている。情報識別能力が低い視野の境界近傍の第２の表示部の部分を第２の接眼レンズに接近させることにより、頭部装着型ディスプレイ装置を小型化することができ、また軽量化することができる。
【００１５】
例えば、第１の接眼レンズの観察画角が６０度〜１２０度の範囲である。これにより、情報識別能力が高い視野の中央領域に第１の接眼レンズのみが配置される。その結果、観察者は第１の接眼レンズのみを介して画像を鮮明に見ることができる。
【００１６】
例えば、第１の接眼レンズの第１の表示部側のレンズ面が、少なくとも部分的にフレネルレンズ部を備える。これにより、第１の接眼レンズを薄型化、すなわち小型化および軽量化することができる。その結果、頭部装着型ディスプレイ装置を小型化および軽量化することができる。
【００１７】
例えば、第１の接眼レンズの第１の表示部側のレンズ面が、中央に配置された凸レンズ部と、その凸レンズ部の周囲に配置されたフレネルレンズ部とを備える。情報識別能力が高い視野の中央にフレネルレンズ部が配置されると、観察者がフレネルレンズ部の環状縞に気づく可能性がある。視野の中央に凸レンズ部を配置し、その周囲にフレネルレンズ部を配置することにより、フレネルレンズ部の環状縞が観察者に目立ちにくくなる。
【００１８】
例えば、第２の接眼レンズの第２の表示部側のレンズ面が、少なくとも部分的にフレネルレンズ部を備える。これにより、第２の接眼レンズを薄型化、すなわち小型化および軽量化することができる。その結果、頭部装着型ディスプレイ装置を小型化および軽量化することができる。
【００１９】
例えば、第１の接眼レンズ側の第２の接眼レンズのフレネルレンズ部におけるライズ面が観察者の前方視状態の瞳孔に向かないように、第２の接眼レンズの断面視で、第２の接眼レンズのフレネルレンズ部のライズ面が第２の接眼レンズの光軸に対して傾いている。これにより、第１の接眼レンズ側、すなわち情報識別能力が高い視野中央側のフレネルレンズ部の環状縞が観察者に目立ちにくくなる。
【００２０】
例えば、第２の接眼レンズのフレネルレンズ部の複数のＶ字溝において、第１の接眼レンズに近い側のＶ字溝の深さに比べて第１の接眼レンズに遠い側のＶ字溝の深さが大きい。これにより、第１の接眼レンズから遠い側、すなわち情報識別能力が低い視野の境界近傍のＶ字溝の深さを大きくすることにより（Ｖ字溝の総数を減少させることにより）、第２の接眼レンズの作製時間が短縮される。その結果、第２の接眼レンズの製造コストを下げることができる。
【００２１】
例えば、第１の接眼レンズの観察者側レンズ面と第２の接眼レンズの観察者側レンズ面とが観察者側から見て該観察者の上下方向の視野全体または視野の中央部において水平方向に連続するように、第１の接眼レンズと第２の接眼レンズとが配置されている。これにより、視線を上下方向に移動させても、観察者は、第１の接眼レンズを透過した第１の画像と第２の接眼レンズを透過した第２の画像とを、水平方向に連続した状態で見ることができる。
【００２２】
例えば、第１の接眼レンズと第２の接眼レンズとが部分的に切断されて形成された切断部を備え、その切断部で第１の接眼レンズと第２の接眼レンズとが互いに当接することにより、第１の接眼レンズと第２の接眼レンズの各々の観察者側のレンズ面が、観察者側から見て該観察者の上下方向の視野全体または視野の中央部において水平方向に連続している。これにより、観察者は、第１の接眼レンズを透過した第１の画像と第２の接眼レンズを透過した第２の画像とを、水平方向に連続した状態で見ることができる。
【００２３】
例えば、第１の接眼レンズが、上側部分、下側部分および第２の接眼レンズ側の部分が切断されて形成された上側切断部、下側切断部および第２の接眼レンズ側切断部を備え、第２の接眼レンズが、上側部分、下側部分および第１の接眼レンズ側の部分が切断されて形成された上側切断部、下側切断部および第１の接眼レンズ側切断部を備える。そして、第１の接眼レンズにおける第２の接眼レンズ側切断部が、第２の接眼レンズにおける第１の接眼レンズ側切断部に当接する。
【００２４】
第２の接眼レンズが、部分的に切断されて、例えば、第２の接眼レンズの光軸方向視で「Ｄ」字形状である。これにより、第２の接眼レンズはコンパクト化されつつ、水平方向について広い観察画角を備えることができる。
【００２５】
例えば、第１の表示部と第１の接眼レンズとの間の光伝播空間と、第２の表示部と第２の接眼レンズとの間の光伝播空間が、互いに分離されている。これにより、第１の表示部から出射した光の一部が第２の接眼レンズに入射することと、第２の表示部から出射した光の一部が第１の接眼レンズに入射することが抑制される。その結果、観察者は、第１の接眼レンズを介して良好な第１の画像を見ることができるとともに、第２の接眼レンズを介して良好な第２の画像を見ることができる。
【００２６】
例えば、第１の表示部と第２の表示部とが１つの共通の曲面ディスプレイであって、第１の表示画像と第２の表示画像が、曲面ディスプレイの異なる位置に表示される。これにより、第１の表示部と第２の表示部が別々のディスプレイである場合に比べて、ディスプレイの制御が簡素化される。例えば、ディスプレイの制御回路が１つで済む。
【００２７】
例えば、曲面ディスプレイが、可撓性を備えるフレキシブルディスプレイであってもよい。
【００２８】
例えば、頭部装着型ディスプレイ装置が、オリジナル画像を取得するオリジナル画像取得部と、一部分が共通する第１の画像および第２の画像をオリジナル画像から抽出する表示画像抽出部と、第１の画像に比べて第２の画像が小さくなるように、第１の画像および第２の画像のサイズを補正する画像サイズ補正部と、を有する。これにより、観察者は、第１および第２の画像を連続した状態で違和感なく見ることができる。
【００２９】
例えば、表示画像抽出部が、第２の接眼レンズを介して観察者が見る第２の画像の水平方向のサイズが第１の接眼レンズを介して観察者が見る第１の画像の水平方向のサイズに比べて小さくなるように、第１の画像および第２の画像をオリジナル画像から抽出する。これにより、第１の画像と第２の画像との間の境界が情報識別能力が高い視野の中央から外側に配置され、その境界が観察者に視認されにくくなる。
【００３０】
例えば、第１の画像および第２の画像を、第１の接眼レンズおよび第２の接眼レンズの収差特性に基づいて補正する収差補正部を有する。これにより、観察者は、第１および第２の画像を連続した状態で違和感なく見ることができる。
【００３１】
例えば、第１の画像および第２の画像が同一の色調で眼球の網膜上に投影されるように、第１の表示部および第２の表示部の視野角特性に基づいて、第１の画像および第２の画像の色調を調整する画像色調調整部を有する。これにより、観察者は、第１および第２の画像を連続した状態で違和感なく見ることができる。
【００３２】
例えば、第１の接眼レンズおよび第２の接眼レンズが、第１の画像および第２の画像が同一の色調で眼球に投影されるように第１の表示部および第２の表示部の視野角特性に基づいて決定された色調調整を行うフィルム、コーティング層、またはフィルタを備える。これにより、観察者は、第１および第２の画像を連続した状態で違和感なく見ることができる。
【００３３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００３４】
なお、発明者らは、当業者が本開示を十分に理解するために添付図面及び以下の説明を提供するものであって、これらによって特許請求の範囲に記載の主題を限定することを意図するものではない。
【００３５】
（第１の実施の形態）
図１は、第１の実施の形態に係る頭部装着型ディスプレイ装置の構成を概略的に示している。図１はまた、観察者の頭部に適切に装着された状態の頭部装着型ディスプレイ装置を示している。
【００３６】
なお、図面には、互いに直交し合うＸ軸、Ｙ軸、およびＺ軸からなるＸ−Ｙ−Ｚ座標系が示されている。Ｘ軸方向は観察者を基準とする水平面における前後方向とし、Ｙ軸方向は水平面における左右方向とし、Ｚ軸方向は水平面と直交する上下方向とする。このＸ−Ｙ−Ｚ座標系は、本開示を限定するものではなく、単に本開示の理解を助けるためだけのものである。したがって、図１は、前方視の観察者を上方から見た頭部装着型ディスプレイ装置を示している。
【００３７】
図１に示すように、本実施の形態に係る頭部装着型ディスプレイ装置１０は、観察者の頭部に装着されるように、具体的には観察者の左右の眼球ｅ（Ｌ）、ｅ（Ｒ）を覆うように頭部に装着される。
【００３８】
図１に示すように、頭部装着型ディスプレイ装置１０は、観察者の頭部に装着される本体部１２を有し、その本体部１２内には、左眼用および右眼用のディスプレイ１４、１６と、左眼用および右眼用の第１の接眼レンズ１８、２０と、左眼用および右眼用の第２の接眼レンズ２２、２４とを有する。また、詳細は後述するが、左眼用の第１の接眼レンズ１８と第２の接眼レンズ２２とが組み合わさることによって左眼用の接眼レンズアレイ２６が構成され、右眼用の第１の接眼レンズ２０と第２の接眼レンズ２４とが組み合わさることによって右眼用の接眼レンズアレイ２８が構成されている。
【００３９】
なお、左眼用の光学系と右眼用の光学系は左右対称であることを除いて、実質的に同一である。すなわち、ディスプレイ１４、１６は実質的に同一であり、第１の接眼レンズ１８、２０が実質的に同一であり、そして第２の接眼レンズ２２、２４が実質的に同一である。そのため、ここからは左眼用の光学系を中心に説明し、右眼用の光学系については説明を省略する。
【００４０】
図２および図３は、頭部装着型ディスプレイ装置１０における左眼用の光学系を示している。図２は観察者が前方（Ｘ軸方向）を見ている状態を示し、図３は観察者が外側斜め前方（Ｘ軸方向に対して約１５度傾いた水平方向）を見ている状態を示している。
【００４１】
図２に示すように、観察者の眼球ｅ（Ｌ）の前方には、ディスプレイ１４と、左眼用接眼レンズアレイ２６（第１および第２の接眼レンズ１８、２２）とが配置されている。
【００４２】
なお、このように、本明細書においては、頭部装着型ディスプレイ装置の構成要素それぞれの位置を観察者の眼球（またはその瞳孔）の位置を基準として説明することがある。このとき、構成要素の位置は、頭部装着型ディスプレイ装置が観察者の頭部に適切に装着されているときの該観察者の眼球の位置を基準としている。したがって、頭部装着型ディスプレイ装置１０は、観察者の頭部に適切に装着されるように、すなわち頭部に対して適切に位置決めされるように構成されている。例えば、頭部装着型ディスプレイ装置１０は、図１に示すように、観察者の鼻に係合するノーズパッド３０や耳に掛けられるイヤーパッド３２、３４を備える。
【００４３】
本実施の形態の場合、ディスプレイ１４は、図４に示すように、水平方向について（水平面（Ｘ−Ｙ平面）上において）湾曲した帯状の曲面液晶ディスプレイである。ディスプレイ１４は画像が表示される表示画面１４ａを備える。詳細は後述するが、表示画面１４ａには、第１の接眼レンズ１８に投影される第１の画像を表示する第１の表示領域（第１の表示部）１４ｂと、第２の接眼レンズ２２に投影される第２の画像を表示する第２に表示領域（第２の表示部）１４ｃとが含まれている。それにより、表示画面１４ａの異なる位置に、第１および第２の画像が表示される。なお、ディスプレイ１４は、可撓性を備えるフレキシブル液晶ディスプレイであってもよい。また、液晶ディスプレイに限らず、ＯＬＥＤ（Ｏｒｇａｎｉｃ  Ｌｉｇｈｔ  Ｅｍｉｔｔｉｎｇ  Ｄｉｏｄｅ）ディスプレイであってもよい。
【００４４】
図２に示すように、ディスプレイ１４の第１の表示領域１４ｂは、観察者の前方視状態の眼球ｅ（Ｌ）の瞳孔ｐ（Ｌ）に向いた状態で該瞳孔ｐ（Ｌ）の前方に配置されている。本実施の形態の場合、表示画面１４ａの第１の表示領域１４ｂは、前方視状態の眼球ｅ（Ｌ）の視線方向Ｓとほぼ直交するように配置されている。
【００４５】
一方、ディスプレイ１４の第２の表示領域１４ｃは、観察者の前方視状態の眼球ｅ（Ｌ）の瞳孔ｐ（Ｌ）に向いた状態で該瞳孔ｐ（Ｌ）の水平方向の外側斜め前方に配置されている。本実施の形態の場合、第２の表示領域１４ｃは、観察者の前方視状態の眼球ｅ（Ｌ）の視線方向Ｓに対して水平約７０度外側（耳側）に傾いた方向とほぼ直交するように配置されている。
【００４６】
図２に示すように、左眼用接眼レンズアレイ２６の第１の接眼レンズ１８は、ディスプレイ１４の第１の表示領域１４ｂと観察者の眼球ｅ（Ｌ）の瞳孔ｐ（Ｌ）との間に配置されている。それにより、第１の接眼レンズ１８は、第１の表示領域１４ｂに表示された第１の画像を瞳孔ｐ（Ｌ）に拡大投影する。本実施の形態の場合、第１の接眼レンズ１８はまた、その光軸Ｃ１が前方視状態の観察者の眼球ｅ（Ｌ）の視線方向Ｓとほぼ一致するように配置されている。すなわち、第１の接眼レンズ１８の光軸Ｃ１は、表示画面１４ａの第１の表示領域１４ｂに略直交している。なお、図２に図示されるディスプレイ１４は部分的に平面であるが、その限りではない。ディスプレイ１４はその全体が曲面形状を有していてもよい（詳細は後述）。
【００４７】
なお、本明細書において、レンズの「光軸」は、前側レンズ面（ディスプレイ側レンズ面）に直交に入射した平行光がレンズを透過して後側レンズ面（観察者側レンズ面）側で結ぶ焦点（後側焦点）と、後側レンズ面に直交に入射した平行光がレンズを透過して前側レンズ面側で結ぶ焦点（前側焦点）とを結んだ直線に一致する軸を言う。
【００４８】
一方、左眼用接眼レンズアレイ２６の第２の接眼レンズ２２は、ディスプレイ１４の第２の表示領域１４ｃと観察者の眼球ｅ（Ｌ）の瞳孔ｐ（Ｌ）との間に配置されている。それにより、第２の接眼レンズ２２は、第２の表示領域１４ｃに表示された第２の画像を瞳孔ｐ（Ｌ）に拡大投影する。本実施の形態の場合、第２の接眼レンズ２２はまた、その光軸Ｃ２が、前方視状態の観察者の眼球ｅ（Ｌ）の視線方向Ｓ（すなわち第１の接眼レンズ１８の光軸Ｃ１）に対して外側に傾くように、例えば約６０度外側に傾くように配置されている。すなわち、理由は後述するが、第２の接眼レンズ２２の光軸Ｃ２は、表示画面１４ａの第２の表示領域１４ｃに直交していない。
【００４９】
本実施の形態の場合、この左眼用の第１および第２の接眼レンズ１８、２２の光軸Ｃ１、Ｃ２は、右眼用の第１および第２の接眼レンズ２０、２４の光軸とともに、略同一平面（Ｘ−Ｙ平面）上に位置する。
【００５０】
また、ディスプレイ１４の第１の表示領域１４ｂの両端は、観察者の瞳孔ｐ（Ｌ）から第１の接眼レンズ１８の端部を通過する光路Ｌ１、Ｌ２に対して、第１の接眼レンズ１８の光軸Ｃ１の反対側に配置される。ディスプレイ１４の第２の表示領域１４ｃの両端は、観察者の瞳孔ｐ（Ｌ）から第２の接眼レンズ２２の端部を通過する光路Ｌ３、Ｌ４に対して、第２の接眼レンズ２２の光軸Ｃ２の反対側に配置される。
【００５１】
さらに、ディスプレイ１４の第１の表示領域１４ｂの第２の表示領域１４ｃに近い端およびディスプレイ１４の第２の表示領域１４ｃの第１の表示領域１４ｂに近い端が、観察者の瞳孔ｐ（Ｌ）から第１の接眼レンズ１８の第２の接眼レンズ２２側の端部を通過する光路Ｌ２と該瞳孔ｐ（Ｌ）から第２の接眼レンズ２２の第１の接眼レンズ１８側の端部を通過する光路Ｌ３との間の領域に配置される。
【００５２】
このような左眼用接眼レンズアレイ２６の第１および第２の接眼レンズ１８、２２により、ディスプレイ１４の第１および第２の表示領域１４ｂ、１４ｃそれぞれに表示された第１および第２の画像は、眼球ｅ（Ｌ）の網膜上に水平方向に連続した状態（連結した状態）で投影される。
【００５３】
なお、図２に示すように、ディスプレイ１４の第１の表示領域１４ｂから第１の接眼レンズ１８に向かう光が伝播する空間（第１の表示領域１４ｂと第１の接眼レンズ１８との間の光伝播空間）と、第２の表示領域１４ｃから第２の接眼レンズ２２に向かう光が伝播する空間（第２の表示領域１４ｃと第２の接眼レンズ２２との間の光伝播空間）は、互いに分離されている。具体的には、光遮蔽板３６によって分離されている。すなわち、光遮蔽板３６は、観察者の瞳孔ｐ（Ｌ）から第１の接眼レンズ１８の第２の接眼レンズ２２側の端部を通過する光路Ｌ２と該瞳孔ｐ（Ｌ）から第２の接眼レンズ２２の第１の接眼レンズ１８側の端部を通過する光路Ｌ３との間の領域に配置されている。これにより、例えば第１の表示領域１４ｂから出射した光の一部が第２の接眼レンズ２２に入射することが抑制され、また第２の表示領域１４ｃから出射した光の一部が第１の接眼レンズ１８に入射することが抑制される。その結果、観察者は、第１の接眼レンズ１８を介して良好な第１の画像を見ることができるとともに、第２の接眼レンズ２２を介して良好な第２の画像を見ることができる。
【００５４】
左眼用接眼レンズアレイ２６（第１および第２の接眼レンズ１８、２２）はまた、観察者、すなわち人間の視覚特性に基づいて設計されて使用されている。そのため、接眼レンズアレイ２６の詳細な説明の前準備として、人間の視覚特性について説明する。
【００５５】
図５は、人間の両眼視野を示している。図５に示すように、人間の両眼視野は、水平方向については約２００度の領域（左側および右側それぞれが約１００度までの領域）であって、上下方向については約１２５度の領域（上側が約５０度までであって下側が約７５度までの領域）である。なお、水平方向における視野の境界付近の対象は、両眼でなく、単眼のみで視認される。すなわち、単眼の水平方向の視野に関しては、鼻側が約６０度までであって耳側（外側）が約１００度までである。
【００５６】
両眼視野は、人間の情報識別能力に基づいて、４つの領域に大別される。情報識別能力が高い側から順に、視野中央の弁別視野Ａ１と、弁別視野Ａ１周辺の有効視野Ａ２と、有効視野Ａ２周辺の誘導視野Ａ３と、誘導視野Ａ３周辺の補助視野Ａ４とに、視野は分けられる。
【００５７】
視野中央の弁別視野Ａ１は、上下左右それぞれが約５度までの領域であって、視力や色の弁別などの情報識別能力が最も優れた領域である。
【００５８】
その弁別視野Ａ１周辺の有効視野Ａ２は、左側および右側それぞれが約１５度まで、上側が約８度まで、下側が約１２度までの領域であって、眼球運動だけで（頭部運動をすることなく）瞬時に呈示された対象を捉えることができる領域である。
【００５９】
その有効視野Ａ２周辺の誘導視野Ａ３は、左側および右側それぞれが約５０度まで、上側が約３５度まで、下側が約５０度までの領域であって、呈示された対象の存在のみを判定することができ、人間の空間座標感覚に影響を与える、すなわち立体感や臨場感などの広視野効果を引き起こす領域である。
【００６０】
その誘導視野Ａ３周辺であって最も外側の補助視野Ａ４は、呈示された対象への知覚が極度に低下し、強い刺激の存在がわかる程度の領域である。
【００６１】
また、図６は、人間の眼球に対して鼻側の複数の水平位置（角度位置）それぞれの解像度特性を示す図である（人間計測ハンドブック、朝倉書店、産業技術総合研究所人間福祉医工学研究部門編集、Ｐ．１６９）。
【００６２】
図６に示すように、人間の視野の中心（０度）では、空間周波数が高く且つコントラストが低い縞模様でも視認できるが、中心から１．５度離れると視認可能な最大空間周波数が半減する。さらに中心から３０度離れると、最大空間周波数は約２０分の１まで減少する。
【００６３】
図５および図６に示す視覚特性を踏まえると、約３０度の領域（左側および右側それぞれが約１５度までの領域）である有効視野Ａ２内に比べて、その外側では、視認可能な画像の解像度（最大空間周波数）が低下することが分かる。したがって、約３０度を超える視野の領域に存在する対象を、観察者の眼球の網膜上に理想的に結像する必要性が低いことが分かる。
【００６４】
以上のような視覚特性を考慮して、左眼用接眼レンズアレイ２６（すなわち第１および第２の接眼レンズ１８、２２）は以下のように構成されている。
【００６５】
まず、図２に示すように、左眼用接眼レンズアレイ２６（すなわち第１および第２の接眼レンズ１８、２２）は、前方視状態の眼球ｅ（Ｌ）単独での１６０度の視野内（外側が約１００度までであって鼻側が約６０度までの領域）に配置されている。また、前方視状態の眼球ｅ（Ｌ）において、左眼用接眼レンズアレイ２６の観察画角θは、約１５０度である。そのうち、第１の接眼レンズ１８の観察画角θ１は約９０度であって、第２の接眼レンズ２２の観察画角θ２は約６０度である。
【００６６】
なお、本明細書において、「観察画角」は、レンズと瞳孔との間の距離（アイレリーフ）で決まる角度であって、レンズが画像を網膜上に結像することができる角度を言う。また、本明細書において、「結像」は、ディスプレイに表示された画像の形状と相似の形状の像が網膜上に形成されることを言う（すなわち、観察者が鮮明な画像をレンズを介して見ることができることを言う）。
【００６７】
また、接眼レンズアレイ２６の第２の接眼レンズ２２は、本実施の形態の場合、前方視状態の眼球ｅ（Ｌ）の外側約１００度の視野の境界までおよぶように本体部１２に設けられている。本実施の形態の場合、第２の接眼レンズ２２の一部は、外側約１００度の視野の境界を越えて視野外に存在する。一方、図３に示すように、視線方向Ｓが外側に最大に傾いたときに（外側に約１５度傾いたときに）、第２の接眼レンズ２２は、その全体が視野内に存在する。
【００６８】
第１の接眼レンズ１８の観察画角θ１は、約６０度〜約１２０度（外側および鼻側それぞれが約３０度〜約６０度）の範囲であればよい。観察者は、頭部装着型ディスプレイ装置１０の使用中、ほとんど前方を見ている。したがって、第１の接眼レンズ１８は、情報識別能力が高い前方視状態の眼球ｅ（Ｌ）の弁別視野Ａ１および有効視野Ａ２内に少なくとも配置される。観察画角θ１が約６０度の場合、第１の接眼レンズ１８は、水平方向において、弁別視野Ａ１、有効視野Ａ２、および誘導視野Ａ３の一部に配置される。また、１２０度の場合、第１の接眼レンズ１８は、水平方向において、弁別視野Ａ１、有効視野Ａ２、誘導視野Ａ３、および補助視野Ａ４の一部に配置される。
【００６９】
なお、図３に示すように、視線方向Ｓが水平方向に最大に傾いたときに（外側または鼻側に約１５度傾いたときに）、弁別視野Ａ１および有効視野Ａ２内に第１の接眼レンズ１８が存在するように、第１の接眼レンズ１８の観察画角θ１は約９０度以上であるのが好ましい。これにより、第１の接眼レンズ１８によって投影された第１の画像と第２の接眼レンズによって投影された第２の画像との境界が有効視野Ａ２外側の誘導視野Ａ３に存在する。それにより、第１の画像と第２の画像との間の境界が観察者に目立ちにくくなる（境界が有効視野Ａ２に存在する場合に比べて）。その結果、観察者は、水平方向に連続する第１の画像と第２の画像を１つの画像として違和感なく見ることができる。
【００７０】
また、図２では、第１の接眼レンズ１８の光軸Ｃ１と第２の接眼レンズ２２の光軸Ｃ２との交点が観察者の瞳孔ｐ（Ｌ）上に位置するように配置されているが、それに限定はされない。例えば、図３のように観察者の瞳孔ｐ（Ｌ）が水平方向に移動したときを考慮し、第２の接眼レンズ２２の光軸Ｃ２が、観察者の水平方向に移動した瞳孔ｐ（Ｌ）上を通過するように配置されてもよい。さらには、第１の接眼レンズ１８の光軸Ｃ１と第２の接眼レンズ２２の光軸Ｃ２とが、同一平面上に存在しないように配置することも可能である。
【００７１】
図７は、観察者側から見た（Ｘ軸方向視の）頭部装着型ディスプレイ装置１０を概略的に示している。具体的には、図７は、第１の接眼レンズ１８と第２の接眼レンズ２２との組み合わせからなる左眼用接眼レンズアレイ２６と、第１の接眼レンズ２０と第２の接眼レンズ２４との組み合わせからなる右眼用レンズアレイ２８とを示している。また、図８Ａ及び８Ｂは第１の接眼レンズ１８を示し、図９Ａ及び９Ｂは第２の接眼レンズ２２を示している。
【００７２】
図７に示すように、第１の接眼レンズ１８の観察者側レンズ面１８ｂと第２の接眼レンズ２２の観察者側レンズ面２２ｂが、観察者側から見て該観察者の上下方向の視野全体または視野の中央部（例えば少なくとも上下方向の弁別視野Ａ１および有効視野Ａ２（約２０度：上側が約８度までであって下側が約１２度までの領域））において水平方向に連続するように、左眼用レンズアレイ２６が構成されている（第１の接眼レンズ１８と第２の接眼レンズ２２とが配置されている）。
【００７３】
そのために、本実施の形態の場合、図８Ｂおよび図９Ｂに示すように、第１の接眼レンズ１８と第２の接眼レンズ２２とが部分的に切断され（切断部を備え）、その切断部で第１の接眼レンズ１８と第２の接眼レンズ２２とが互いに接触する。図８Ｂおよび図９Ｂには、第１および第２の接眼レンズ１８、２２を切断するための切断線ＣＬ１、ＣＬ２が示されている。
【００７４】
具体的には、第１の接眼レンズ１８では、その上側部分、下側部分、左側部分（耳側部分）、および右側部分（鼻側部分）が切り落とされている。それにより、第１の接眼レンズ１８は、上側切断部１８ｅ、下側切断部１８ｆ、左側切断部（すなわち第２の接眼レンズ２２側の切断部）１８ｇ、および右側切断部１８ｈを備える。
【００７５】
一方、第２の接眼レンズ２２では、その上側部分、下側部分、および右側部分（鼻側部分）が切り落とされている。それにより、第２の接眼レンズ２２は、上側切断部２２ｄ、下側切断部２２ｅ、および右側切断部（すなわち第１の接眼レンズ１８側の切断部）２２ｆを備える。
【００７６】
なお、図９Ｂに示すように、第２の接眼レンズ２２は、第１の接眼レンズ１８から遠い側である左側部分（耳側部分）が切り落とされていない。そのため、第１の接眼レンズ１８から遠い側である（右側切断部２２ｆに対して反対側の）第２の接眼レンズ２２の左側端は、その光軸Ｃ２方向視で曲線形状である。すなわち、第２の接眼レンズ２２は、その光軸Ｃ２方向視で概ね「Ｄ」字形状である。その結果として、第２の接眼レンズ２２において、上下方向の中央における水平方向（レンズ径方向）の幅Ｗ１が、上端および下端の水平方向の幅Ｗ２に比べて大きい。これにより、第２の接眼レンズ２２は部分的な切断によってコンパクトなサイズにされつつも、水平方向について広い観察画角を有することができる。
【００７７】
上述したように、第１の接眼レンズ１８と第２の接眼レンズ２２とを切断して互いに接触させることにより、第１の接眼レンズ１８の観察者側レンズ面１８ｂと第２の接眼レンズ２２の観察者側レンズ面２２ｂは、観察者側から見て該観察者の上下方向の視野全体または視野の中央部において水平方向に連続することができる。具体的には第１の接眼レンズ１８の左側切断部１８ｇと第２の接眼レンズ２２の右側切断部２２ｆとが互いに接触することにより、図７に示すように、水平方向に連続することができる。
【００７８】
その結果、視線方向Ｓが上下方向に変化しても、観察者は、第１の接眼レンズ１８を透過した第１の画像と第２の接眼レンズ２２を透過した第２の画像とを、水平方向に連続した状態で、すなわち１つの画像として違和感なく見ることができる。
【００７９】
なお、図８Ｂおよび図９Ｂに示すように、第１の接眼レンズ１８および第２の接眼レンズ２２の上側部分および下側部分、すなわち観察者側から見て該観察者の上下方向の視野（本実施の形態の場合には、約９０度の視野）からはみ出た部分が、切り落とされている。これにより、第１の接眼レンズ１８および第２の接眼レンズ２２を軽量化および小型化することができる。その結果、頭部装着型ディスプレイ装置１０を軽量化および小型化することができる。
【００８０】
図８Ａ及び８Ｂに示すように、第１の接眼レンズ１８は、そのディスプレイ側レンズ面１８ａに、少なくとも部分的にフレネルレンズ部を備える。本実施の形態の場合、第１の接眼レンズ１８は、そのディスプレイ側レンズ面１８ａに、凸レンズ部と１８ｃとフレネルレンズ部１８ｄとを備える。また、観察者側レンズ面１８ｂに、凸レンズ部を備える。
【００８１】
具体的には、ディスプレイ側レンズ面１８ａの中央に凸レンズ部１８ｃが配置され、その凸レンズ部１８ｃの外側にフレネルレンズ部１８ｄが配置されている。また、この凸レンズ部１８ｃの光軸とフレネルレンズ部１８ｄの光軸は、第１の接眼レンズ１８の光軸Ｃ１に一致する。すなわち、第１の接眼レンズ１８のディスプレイ側レンズ面１８ａは、光軸Ｃ１を中心とする回転対称形状である。
【００８２】
また、本実施の形態の場合、図２に示すように、第１の接眼レンズ１８の凸レンズ部１８ｃは、前方視状態の眼球ｅ（Ｌ）の弁別視野Ａ１および有効視野Ａ２内に存在する。例えば、凸レンズ部１８ｃの観察画角αは１００度以下である。したがって、凸レンズ部１８ｃの外側のフレネルレンズ部１８ｄは、有効視野Ａ２の外側の誘導視野Ａ３内に存在する。これは、弁別視野Ａ１や有効視野Ａ２内にフレネルレンズ部１８ｄが存在する場合、図８Ａ及び８Ｂに示すフレネルレンズ部１８ｄの複数の環状の稜線ＲＬと谷線ＶＬとが、環状縞として観察者に目立つ可能性があるからである。その結果、臨場感を損なう可能性がある。
【００８３】
このような第１の接眼レンズ１８によれば、ディスプレイ１４の第１の表示領域１４ｂに表示される第１の画像が、観察者の眼球ｅ（Ｌ）の瞳孔ｐ（Ｌ）に拡大投影される。また、フレネルレンズ部１８ｄを少なくとも部分的に備えることにより、第１の接眼レンズ１８を薄くでき、それにより軽量化および小型化することができる。例えば、フレネルレンズ部１８ｄと光学的に等価の凸レンズ部Ｑ１を備える接眼レンズに比べて薄くでき、それにより軽量化および小型化することができる。
【００８４】
図９Ｂに示すように、第２の接眼レンズ２２は、そのディスプレイ側レンズ面２２ａに、少なくとも部分的にフレネルレンズ部を備える。また、観察者側レンズ面２２ｂに、凸レンズ部を備える。
【００８５】
本実施の形態の場合、第２の接眼レンズ２２のフレネルレンズ部２２ａは、光軸Ｃ２を中心とする回転対称形状ではない。具体的に説明すると、図９Ｂに示すように、フレネルレンズ部２２ａの複数の環状の稜線ＲＬと谷線ＶＬの中心が第２の接眼レンズ２２の光軸Ｃ２と一致していない。また、稜線ＲＬと谷線ＶＬとの間のライズ面２２ｃが、光軸Ｃ２に対して平行ではなく、傾いている。
【００８６】
このように、第２の接眼レンズ２２のフレネルレンズ部２２ａが、回転非対称の形状を備える理由について、図１０および図１１を参照しながら説明する。
【００８７】
図１０は、比較例のフレネルレンズ１２２を示している。なお、図１０に示す比較例のフレネルレンズ１２２は、光軸Ｃ２を中心とする回転対称形状であって、光軸Ｃ２と平行なライズ面１２２ｃを備える。図１１は、本実施の形態に係る第２の接眼レンズ２２を示している。
【００８８】
図１０に示すように、観察者が前方を見ているとき、比較例のフレネルレンズ１２２の光軸Ｃ２は、視線方向Ｓに対して傾いている。すなわち、観察者は、フレネルレンズ１２２の観察者側レンズ面１２２ｂを斜めに見ている。このとき、前方視状態の眼球ｅ（Ｌ）における誘導視野Ａ３において、フレネルレンズ１２２のライズ面１２２ｃが瞳孔ｐ（Ｌ）に向いている。具体的には、稜線ＲＬ、谷線ＶＬと瞳孔ｅ（Ｌ）とを結ぶ直線に対してライズ面１２２ｃが傾いている。それにより、環状の稜線ＲＬと谷線ＶＬとが互いに重ならずに眼球ｅ（Ｌ）の網膜上に高密度な環状縞として投影され、そのため、その高密度な環状縞に観察者は気づきやすい。
【００８９】
一方、図１１に示すように、本実施の形態の接眼レンズ２２の場合、前方視状態の眼球ｅ（Ｌ）における誘導視野Ａ３の補助視野Ａ４側の領域において、フレネルレンズ部２２ａのライズ面２２ｃは、ほとんど瞳孔ｐ（Ｌ）に向いていない。具体的には、稜線ＲＬ、谷線ＶＬと瞳孔ｅ（Ｌ）とを結ぶ直線に対してライズ面２２ｃがほぼ平行に重なる。すなわち、第１の接眼レンズ１８側の第２の接眼レンズ２２のフレネルレンズ部２２ａにおけるライズ面２２ｃが前方視状態の瞳孔ｐ（Ｌ）に向かないように、ライズ面２２ｃが第２の接眼レンズ２２の光軸Ｃ２に対して傾いている（第２の接眼レンズ２２のフレネルレンズ部２２ａが回転非対称の形状を備える）。それにより、環状の稜線ＲＬと谷線ＶＬとが重なって眼球ｅ（Ｌ）の網膜上に低密度な環状縞として投影され、そのため、その低密度な環状縞に観察者は気づきにくい。
【００９０】
なお、図１１に示すように、誘導視野Ａ３においてはフレネルレンズ部２２ａのライズ面２２ｃは瞳孔ｐ（Ｌ）にほとんど向いていないが、補助視野Ａ４においてはライズ面２２ｃは瞳孔ｐ（Ｌ）に向いている。しかしながら、誘導視野Ａ３に比べて補助視野Ａ４では観察者の情報識別能力が低いため、補助視野Ａ４では環状の稜線Ｒ（Ｌ）および谷線Ｖ（Ｌ）は観察者に目立ちにくい。
【００９１】
このような第２の接眼レンズ２２によれば、ディスプレイ１４の第２の表示領域１４ｃに表示される第２の画像が、観察者の眼球ｅ（Ｌ）の瞳孔ｐ（Ｌ）に拡大投影される。また、フレネルレンズ部２２ａを少なくとも部分的に備えることにより、第２の接眼レンズ２２を軽量化および小型化することができる。例えば、図９Ａ及び９Ｂに示すように、フレネルレンズ部２２ａと光学的に等価の凸レンズ部Ｑ２を備える接眼レンズに比べて、軽量化および小型化することができる。
【００９２】
さらに、観察者、すなわち図５および図６に示す人間の視覚特性に基づいて、第１の接眼レンズ１８とディスプレイ１４の第１の表示領域１４ｂとの間の距離と、第２の接眼レンズ２２と第２の表示領域１４ｃとの間の距離が設定されている。このことについて、図１２を参照しながら説明する。
【００９３】
まず、本実施の形態の場合、図１２に示すように、第１の接眼レンズ１８とディスプレイ１４の第１の表示領域１４ｂとの間の距離と第２の接眼レンズ２２と第２の表示領域１４ｃとの間の距離とを比べた場合、後者の方が短い。すなわち、第１の接眼レンズ１８と第２の接眼レンズ２２は、互いに異なり、この距離をとることを可能にする光学特性をそれぞれ備える。これにより、頭部装着型ディスプレイ装置１０のサイズ、特に左右方向のサイズが小型化され、その結果として、頭部装着型ディスプレイ装置１０が軽量化される。
【００９４】
また、図１２に示すように、第１の接眼レンズ１８の光軸Ｃ１は、ディスプレイ１４の第１の表示領域１４ｂにほぼ直交している。その第１の接眼レンズ１８と第１の表示領域１４ｂとの間の距離は、第１の表示領域１４ｂに表示された第１の画像が眼球ｅ（Ｌ）の網膜上に結像するために必要である（観察者が鮮明な第１の画像を見るために必要である）距離Ｌ１ｆである。この距離Ｌ１ｆは、第１の接眼レンズ１８と瞳孔ｐ（Ｌ）との間の距離Ｌ１ｂと第１の接眼レンズ１８の光学特性とによって決まる。
【００９５】
一方、第２の接眼レンズ２２の光軸Ｃ２は、ディスプレイ１４の第２の表示領域１４ｃに直交していない。具体的には、第２の表示領域１４ｃが、第１の表示領域１４ｂから遠い部分が近い部分に比べて第２の接眼レンズ２２に接近するように配置されている。その理由について説明する。
【００９６】
図１２において、比較例のディスプレイ１４の第２の表示領域１４ｃ’が二点鎖線で示されている。第２の接眼レンズ２２の光軸Ｃ２は、比較例のディスプレイ１４の表示領域１４ｃ’に直交している。その第２の接眼レンズ２２と比較例の第２の表示領域１４ｃ’との間の距離は、比較例の第２の表示領域１４ｃ’に表示された第２の画像が眼球ｅ（Ｌ）の網膜上に結像するために必要な距離Ｌ２ｆである。この距離Ｌ２ｆは、第２の接眼レンズ２２と瞳孔ｐ（Ｌ）との間の距離Ｌ２ｂと第２の接眼レンズ２２の光学特性とによって決まる。
【００９７】
本実施の形態の場合、ディスプレイ１４の第２の表示領域１４ｃは、比較例の第２の表示領域１４ｃ’より第２の接眼レンズ２２側に少なくとも一部が存在するように第２の接眼レンズ２２に対して配置されている。すなわち、眼球ｅ（Ｌ）の網膜上に第２の画像が結像するときの位置より第２の接眼レンズ２２側に、第２の表示領域１４ｃの少なくとも一部が存在する。
【００９８】
本実施の形態の場合、ディスプレイ１４の第２の表示領域１４ｃにおいて、第１の表示部１４ｂに近い部分、すなわち前方視状態の眼球ｅ（Ｌ）における誘導視野Ａ３内の第２の接眼レンズ２２の部分に第２の画像の一部を投影する部分１４ｃａは、第２の接眼レンズ２２から距離Ｌ２ｆの位置に概ね存在する。それ以外の部分（第１の表示部１４ｂから遠い部分）、すなわち補助視野Ａ４内の第２の接眼レンズ２２の部分に第２の画像の残りを投影する部分は、距離Ｌ２ｆより第２の接眼レンズ２２側に存在する。
【００９９】
したがって、第１の表示部１４ｂから遠い部分に表示された第２の画像の部分は、補助視野Ａ４内の第２の接眼レンズ２２の部分を介して、不鮮明に眼球ｅ（Ｌ）の網膜上に投影される。しかし、元々、補助視野Ａ４内の対象を観察者（すなわち人間）は明確に識別できないため、問題は生じない。一方、ディスプレイ１４の第２の表示領域１４ｃが第２の接眼レンズ２２に接近することにより、比較例の第２の表示領域１４ｃ’の場合に比べて、頭部装着型ディスプレイ装置１０を、左右方向のサイズについて小型化し、その結果として軽量化することができる。
【０１００】
なお、本実施の形態の場合、図１２に示すように、第２の接眼レンズ２２の一部が、前方視状態の眼球ｅ（Ｌ）における誘導視野Ａ３内に存在する。そのために、ディスプレイ１４の第２の表示領域１４ｃは、部分的に、眼球ｅ（Ｌ）の網膜上に第２の画像が結像するための第２の接眼レンズ２２までの距離Ｌ２ｆより第２の接眼レンズ２２側に存在する。しかし、第２の接眼レンズ２２が補助視野Ａ４内のみに存在する場合（すなわち第１の接眼レンズ１８の観察画角θ１が１００度以上である場合（第１の接眼レンズ１８が弁別視野Ａ１、有効視野Ａ２、および誘導視野Ａ３に存在する場合））、これに限らない。この場合、補助視野Ａ４内のみに存在する第２の接眼レンズ２２に投影される第２の画像を表示する第２の表示領域１４ｃは、その全体が距離Ｌ２ｆより第２の接眼レンズ２２側に存在してもよい。
【０１０１】
ここまでは、本実施の形態に係る頭部装着型ディスプレイ装置１０の光学系について説明してきた。ここからは、ディスプレイ１４、１６に表示する画像に関する画像処理について説明する。
【０１０２】
本実施の形態に係る頭部装着型ディスプレイ装置１０は、図１３に示す画像処理ユニット５０を備える。画像処理ユニット５０は、オリジナル画像取得部５２と、表示画像抽出部５４と、画像サイズ補正部５６と、歪曲収差補正部５８と、倍率色収差補正部６０と、色調調整部６２と、表示位置調整部６４と、出力部６６とを有する。
【０１０３】
画像処理ユニット５０は、例えば、少なくとも、ＣＰＵと、メモリと、これらが実装された回路基板とから構成される。メモリには、画像処理用のプログラムや画像が保存される。ＣＰＵとメモリとが、プログラムに基づいて動作することにより、画像処理ユニット５０の各構成要素５２〜６６として機能する。その構成要素それぞれについて説明する。
【０１０４】
画像処理ユニット５０のオリジナル画像取得部５２は、頭部装着型ディスプレイ装置１０から観察者に呈示される画像の元となるオリジナル画像を外部装置（図示せず）から取得する。例えば、図１４に示すように、３６０度パノラマ画像であるオリジナル画像Ｐｏｒｉを外部装置から取得する。そのために、画像処理ユニット５０は、例えば、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブルを介して外部装置に接続されている。
【０１０５】
画像処理ユニット５０の表示画像抽出部５４は、オリジナル画像取得部５２によって取得されたオリジナル画像Ｐｏｒｉからディスプレイ１４、１６それぞれに表示する第１および第２の画像Ｐ１（Ｌ）、Ｐ２（Ｌ）、Ｐ１（Ｒ）、Ｐ２（Ｒ）を抽出する。すなわち、図１に示すように、左眼用のディスプレイ１４の第１の表示領域１４ｂに表示する左眼用の第１の画像Ｐ１（Ｌ）、第２の表示領域１４ｃに表示する左眼用の第２の画像Ｐ２（Ｌ）、右眼用のディスプレイ１６の第１の表示領域１６ｂに表示する右眼用の第１の画像Ｐ１（Ｒ）、および第２の表示領域１６ｃに表示する右眼用の第２の画像Ｐ２（Ｒ）を抽出する。
【０１０６】
具体的には、まず、図１５に示すように３６０度パノラマ画像Ｐｏｒｉにおける２１０度の範囲の領域から、図１６に示すように、左眼用の第１および第２の画像Ｐ１（Ｌ）、Ｐ２（Ｌ）と、右眼用の第１および第２の画像Ｐ１（Ｒ）、Ｐ２（Ｒ）とを抽出する。すなわち、観察者の水平方向の視野全体におよぶ画像を抽出する。
【０１０７】
なお、図１６に示すように、左眼用の第１の画像Ｐ１（Ｌ）と右眼用の第１の画像Ｐ１（Ｒ）は、左眼の正面と右眼の正面に表示される画像であってほぼ同じである。具体的には、左眼用の第１の画像Ｐ１（Ｌ）と右眼用の第１の画像Ｐ１（Ｒ）は、観察者にとって自然に見えるように、視差を考慮した微小なずれ量で左右方向に相互にずれている画像である。
【０１０８】
画像処理ユニット５０の表示画像抽出部５４はまた、第２の接眼レンズ２２、２４を介して観察者が見える第２の画像Ｐ２（Ｌ）、Ｐ２（Ｒ）の水平方向のサイズが第１の接眼レンズ１８、２０を介して観察者が見える第１の画像Ｐ１（Ｌ）、Ｐ１（Ｒ）の水平方向のサイズに比べて小さくなるように、これら４つの画像をオリジナル画像Ｐｏｒｉから抽出する。
【０１０９】
本実施の形態の場合、表示画像抽出部５４は、左眼用および右眼用の第１の画像Ｐ１（Ｌ）、Ｐ１（Ｒ）を約９０度の角度範囲の大きさで、また、左眼用および右眼用の第２の画像Ｐ２（Ｌ）、Ｐ２（Ｒ）を約６０度の角度範囲の大きさで抽出する。第１の画像Ｐ１（Ｌ）、Ｐ１（Ｒ）の角度範囲は第１の接眼レンズ１８、２０の約９０度の観察画角θ１に対応し、第２の画像Ｐ２（Ｌ）、Ｐ２（Ｒ）の角度範囲は第２の接眼レンズ２２、２４の約６０度の観察画角θ２に対応する。
【０１１０】
これにより、左眼用の第１の画像Ｐ１（Ｌ）と左眼用の第２の画像Ｐ２（Ｌ）との間の境界が、情報識別能力が高い視野の中央から外側（左側）に配置される。この結果、第２の画像Ｐ２（Ｌ）の角度範囲が第１の画像Ｐ１（Ｌ）の角度範囲より大きい場合に比べて、上記境界が観察者に視認されにくくなる。同様に、右眼用の第１の画像Ｐ１（Ｒ）と右眼用の第２の画像Ｐ２（Ｒ）との間の境界が、視野の中央から外側（右側）に配置される。この結果、第２の画像Ｐ２（Ｒ）の角度範囲が第１の画像Ｐ１（Ｒ）の角度範囲より大きい場合に比べて、上記境界が観察者に視認されにくくなる。
【０１１１】
画像処理ユニット５０の表示画像抽出部５４はさらに、図１６に示すように、一部分（クロスハッチング部分）が共通するようにオリジナル画像Ｐｏｒｉから左眼用の第１および第２の画像Ｐ１（Ｌ）、Ｐ２（Ｌ）を抽出する。また、画像処理ユニット５０の表示画像抽出部５４は、一部分（クロスハッチング部分）が共通するようにオリジナル画像Ｐｏｒｉから、右眼用の第１および第２の画像Ｐ１（Ｒ）、Ｐ２（Ｒ）を抽出する。その理由について、左眼用の第１および第２の画像Ｐ１（Ｌ）、Ｐ２（Ｌ）を例に挙げて、また図１７および図１８を参照しながら説明する。
【０１１２】
図１７は、共通する部分がない比較例の左眼用の第１および第２の画像Ｐ１（Ｌ）’、Ｐ２（Ｌ）’を示している。一方、図１８は、一部分が共通する本実施の形態の左眼用の第１および第２の画像Ｐ１（Ｌ）、Ｐ２（Ｌ）を示している。
【０１１３】
図１７（ａ）は、第１および第２の画像Ｐ１（Ｌ）’、Ｐ２（Ｌ）’と、第１および第２の接眼レンズ１８、２２と、眼球ｅ（Ｌ）との位置関係を示している。観察者が前方を見ているとき（実線）、図１７（ｂ）に示すように、観察者には、第１の画像Ｐ１（Ｌ）’と第２の画像Ｐ２（Ｌ）’とが連続して見える。
【０１１４】
観察者が斜め前方に視線を向けると（二点鎖線）、図１７（ｃ）に示すように、観察者には、第１の画像Ｐ１（Ｌ）’と第２の画像Ｐ２（Ｌ）’とが離れて見えるともに、第１の画像Ｐ１（Ｌ）’の第２の画像Ｐ２（Ｌ）’側の部分が欠けて見える。
【０１１５】
これは、図１７（ａ）に示すように、観察者の視線方向が斜め前方（二点鎖線）に変わると、第１および第２の接眼レンズ１８、２２を介して観察者が見えるディスプレイ１４の表示画面１４ａ上の領域が変わることによって生じる。したがって、前方視の場合には第１および第２の画像Ｐ１（Ｌ）’、Ｐ２（Ｌ）’は連続して見えるが、斜め前方視の場合にはこれらの画像が不連続に見えるという現象が生じる。
【０１１６】
このように観察者の視線方向が変わると第１および第２の接眼レンズ１８、２２を介して該観察者が見えるディスプレイ１４の表示画面１４ａ上の領域が変わることを考慮し、図１８（ａ）に示すように、本実施の形態の第１および第２の画像Ｐ１（Ｌ）、Ｐ２（Ｌ）は共通する部分（クロスハッチング部分）を含んでいる。第１の画像Ｐ１（Ｌ）は第２の画像Ｐ２（Ｌ）側に共通部分を含み、第２の画像Ｐ２（Ｌ）は第１の画像Ｐ１（Ｌ）側に共通部分を含んでいる。
【０１１７】
観察者が前方を見ているとき（実線）、図１８（ｂ）に示すように、観察者には、共通部分を含む第１の画像Ｐ１（Ｌ）と共通部分が欠けた第２の画像Ｐ２（Ｌ）とが連続した状態で見える。
【０１１８】
一方、観察者が斜め前方を見ているとき（二点鎖線）、図１８（ｃ）示すように、観察者には、共通部分が欠けた第１の画像Ｐ１（Ｌ）と共通部分を含む第２の画像Ｐ２（Ｌ）とが連続した状態で見える。
【０１１９】
したがって、第１の画像Ｐ１（Ｌ）と第２の画像Ｐ２（Ｌ）とが共通部分（クロスハッチング部分）を含むことにより、視線の方向が変化しても、観察者には第１の画像Ｐ１（Ｌ）と第２の画像Ｐ２（Ｌ）とが連続して見える。
【０１２０】
図１３に戻って、画像処理ユニット５０の画像サイズ補正部５６は、第１の画像Ｐ１（Ｌ）、Ｐ１（Ｒ）に比べて第２の画像Ｐ２（Ｌ）、Ｐ２（Ｒ）が小さくなるように、これらの画像を補正する。
【０１２１】
図１に示すように、左眼用の光学系においては、ディスプレイ１４の第１の表示領域１４ｂと第１の接眼レンズ１８との間の距離に比べて、第２の表示領域１４ｃと第２の接眼レンズ２２との間の距離は短い。そのため、第１の表示領域１４ｂに表示される第１の画像Ｐ１（Ｌ）と第２の表示領域１４ｃに表示される第２の画像Ｐ２（Ｌ）とが同一のサイズである場合、第２の画像Ｐ２（Ｌ）が第１の画像Ｐ１（Ｌ）に比べて大きく拡大されて観察者の眼球ｅ（Ｌ）の網膜上に投影される。同様に、右眼の光学系においても、第２の画像Ｐ２（Ｒ）が第１の画像Ｐ１（Ｒ）に比べて大きく拡大されて観察者の眼球ｅ（Ｒ）の網膜上に投影される。
【０１２２】
そこで、眼球ｅ（Ｌ）、ｅ（Ｒ）の網膜上でのサイズが同一になるように、画像サイズ補正部５６は、図１９に示すように、第１の画像Ｐ１（Ｌ）、Ｐ１（Ｒ）に比べて第２の画像Ｐ２（Ｌ）、Ｐ２（Ｒ）が小さくなるように、これらの画像のサイズを補正する。例えば、第２の画像Ｐ２（Ｌ）、Ｐ２（Ｒ）を縮小する、または第１の画像Ｐ１（Ｌ）、Ｐ１（Ｒ）を拡大する。画像の縮小倍率または拡大倍率は、第１および第２の接眼レンズ１８、２０、２２、２４の光学特性によって決まる。これにより、観察者は、第２の画像Ｐ２（Ｌ）、第１の画像Ｐ１（Ｌ）、第１の画像Ｐ１（Ｒ）、第２の画像Ｐ２（Ｒ）を連続した状態で違和感なく見ることができる。
【０１２３】
図１３に戻って、画像処理ユニット５０の歪曲収差補正部５８および倍率色収差補正部６０は、第１および第２の接眼レンズ１８、２０、２２，２４の収差特性に基づいて、第１および第２の画像Ｐ１（Ｌ）、Ｐ１（Ｒ）、Ｐ２（Ｌ）、Ｐ２（Ｒ）を補正する。
【０１２４】
レンズによって生じる収差は、単色光によっても生じる収差である歪曲収差と、光の波長の違いによって生じる倍率色収差とに大別される。このレンズによって生じる歪曲収差と倍率色収差を相殺（キャンセル）するように、歪曲収差補正部５８および倍率色収差補正部６０は、第１および第２の画像Ｐ１（Ｌ）、Ｐ１（Ｒ）、Ｐ２（Ｌ）、Ｐ２（Ｒ）を補正する。すなわち、収差が生じない理想的なレンズが使用されたときとほぼ同等の第１および第２の画像Ｐ１（Ｌ）、Ｐ１（Ｒ）、Ｐ２（Ｌ）、Ｐ２（Ｒ）が眼球ｅ（Ｌ）、ｅ（Ｒ）の網膜上に第１および第２の接眼レンズ１８、２０、２２，２４を介して投影されるように、これらの画像を補正する。
【０１２５】
例えば、第１および第２の接眼レンズ１８、２０、２２、２４により、図１９に示すように長方形状の第１および第２の画像Ｐ１（Ｌ）、Ｐ１（Ｒ）、Ｐ２（Ｌ）、Ｐ２（Ｒ）が、糸巻形状に変形して眼球ｅ（Ｌ）、ｅ（Ｒ）の網膜上に投影される歪曲収差が起こる場合を考える。
【０１２６】
この場合、歪曲収差補正部５８は、図２０に示すように、第１および第２の画像Ｐ１（Ｌ）、Ｐ１（Ｒ）、Ｐ２（Ｌ）、Ｐ２（Ｒ）を樽形状に補正する。これにより、樽形状のこれらの第１および第２の画像は、第１および第２の接眼レンズ１８、２０、２２、２４によって長方形状に変形して眼球ｅ（Ｌ）、ｅ（Ｒ）の網膜上に投影される。すなわち、画像を糸巻形状に変形させる歪曲収差が相殺（キャンセル）される。
【０１２７】
倍率色収差補正部６０は、倍率色収差補正として、第１および第２の画像Ｐ１（Ｌ）、Ｐ１（Ｒ）、Ｐ２（Ｌ）、Ｐ２（Ｒ）の各画素のＲＧＢ値を補正する。具体的には、第１および第２の接眼レンズ１８、２０、２２、２４によって色収差が起こった後の第１および第２の画像Ｐ１（Ｌ）、Ｐ１（Ｒ）、Ｐ２（Ｌ）、Ｐ２（Ｒ）の各画素のＲＧＢ値が倍率収差補正前のこれらの画像（例えば表示画像抽出部５４によって抽出された直後の画像）の各画素のＲＧＢ値とほぼ一致するように、これらの画像に対して倍率色収差補正を行う。例えば、倍率色収差補正では、緑色（Ｇ）の倍率を基準として赤色（Ｒ）と青色（Ｂ）の倍率が調整される。
【０１２８】
これらの歪曲収差補正部５８と倍率色収差補正部６０とにより、観察者は、第２の画像Ｐ２（Ｌ）、第１の画像Ｐ１（Ｌ）、第１の画像Ｐ１（Ｒ）、第２の画像Ｐ２（Ｒ）を連続した状態で違和感なく見ることができる。
【０１２９】
画像処理ユニット５０の色調調整部６２は、ディスプレイ１４、１６の視野角特性に基づいて、第１および第２の画像Ｐ１（Ｌ）、Ｐ１（Ｒ）、Ｐ２（Ｌ）、Ｐ２（Ｒ）の色調、例えば輝度や色合いなどを調整する。
【０１３０】
本実施の形態の場合、ディスプレイ１４、１６は、液晶ディスプレイで構成されている。また、図１に示すように、ディスプレイ１４、１６の第１の表示領域１４ｂ、１６ｂ上の第１の画像Ｐ１（Ｌ）、Ｐ１（Ｒ）は観察者によって略９０度の視野角で視認されるが、第２の表示領域１４ｃ、１６ｃ上の第２の画像Ｐ２（Ｌ）、Ｐ２（Ｒ）は９０度と異なる視野角で視認される。
【０１３１】
その結果、第１の画像Ｐ１（Ｌ）、Ｐ１（Ｒ）と第２の画像Ｐ２（Ｌ）、Ｐ２（Ｒ）が異なる色調で眼球ｅ（Ｌ）、ｅ（Ｒ）の網膜上に投影され、それにより観察者が色調の違いによって違和感を持つ可能性がある。
【０１３２】
その対処として、色調調整部６２は、第１および第２の画像Ｐ１（Ｌ）、Ｐ１（Ｒ）、Ｐ２（Ｌ）、Ｐ２（Ｒ）が略同一の色調で観察者の眼球ｅ（Ｌ）、ｅ（Ｒ）の網膜上に投影されるように、これらの画像の色調を調整する。
【０１３３】
なお、ディスプレイ１４、１６がどのような視野角でも同一の色調に見えるＯＬＥＤディスプレイである場合には、この色調調整部６２を省略することができる。
【０１３４】
また、色調調整部６２に代わって第１および第２の画像Ｐ１（Ｌ）、Ｐ１（Ｒ）、Ｐ２（Ｌ）、Ｐ２（Ｒ）の色調を調整することができるフィルム、コーティング層、またはフィルタを、第１および第２の接眼レンズ１８、２０、２２、２４が備えてもよい。
【０１３５】
画像処理ユニット５０の表示位置調整部６４は、第１および第２の画像Ｐ１（Ｌ）、Ｐ１（Ｒ）、Ｐ２（Ｌ）、Ｐ２（Ｒ）のディスプレイ１４、１６の表示画面１４ａ、１６ａ上の表示位置を調整する。すなわち、これらの画像を連続して観察者が見えるように表示位置を調整する。
【０１３６】
画像処理ユニット５０の出力部６６は、サイズや収差が補正され、色調や表示位置が調整された第１および第２の画像Ｐ１（Ｌ）、Ｐ１（Ｒ）、Ｐ２（Ｌ）、Ｐ２（Ｒ）をディスプレイ１４、１６に出力する。
【０１３７】
以上のような画像処理ユニット５０による画像処理を行うことにより、観察者は、第２の画像Ｐ２（Ｌ）、第１の画像Ｐ１（Ｌ）、第１の画像Ｐ１（Ｒ）、第２の画像Ｐ２（Ｒ）を連続した状態で、すなわち図２１に示すような水平方向の視野全体におよぶ画像を、違和感なく見ることができる。
【０１３８】
なお、画像処理ユニット５０は、頭部装着型ディスプレイ装置１０の本体部１２内に設けられてもよいし、本体部１２の外部に設けられてもよい。本体部１２の外部に画像処理ユニット５０が設けられる場合、頭部装着型ディスプレイ装置１０と画像処理ユニット５０は有線または無線を介して接続される。画像処理ユニット５０を外部に設ける場合、頭部装着型ディスプレイ装置１０が軽量化され（内部に設ける場合に比べて）、頭部装着型ディスプレイ装置１０の使用感が向上する。
【０１３９】
以上のような本実施の形態によれば、頭部装着型ディスプレイ装置において、大型化や重量増加を抑制しつつ、さらなる臨場感を観察者に提供することができる。
【０１４０】
なお、本開示の実施の形態は、上述した実施の形態に限らない。
【０１４１】
例えば、図４に示すように、上述した実施の形態の場合、ディスプレイ１４（１６）は、水平方向について（水平面（Ｘ−Ｙ平面）上において）湾曲しているが、上下方向（Ｚ軸方向）については平坦である。しかしながら、本開示の実施の形態は、これに限らない。
【０１４２】
（第２の実施の形態）
図２２は、第２の実施の形態に係る頭部装着型ディスプレイ装置のディスプレイを示している。
【０１４３】
図２２に示すように、ディスプレイ１１４は、水平方向（Ｘ軸方向、Ｙ軸方向）および上下方向（Ｚ軸方向）について湾曲する帯状の曲面ディスプレイである。上述した実施の形態と同様に、表示画面１１４ａを備え、その表示画面１１４ａには、第１の接眼レンズに投影される第１の画像を表示する第１の表示領域１１４ｂと、第２の接眼レンズに投影される第２の画像を表示する第２の表示領域１１４ｃとが含まれている。ディスプレイ１１４は、例えば可撓性を備える液晶ディスプレイまたはＯＬＥＤディスプレイである。
【０１４４】
図２２に示すディスプレイ１１４は、水平方向のみならず、上下方向に第１および第２の接眼レンズのディスプレイ側レンズ面を覆うことができる。そのため、観察者の上下方向の視野全体にわたって画像を該観察者に呈示することができる。それにより、さらなる臨場感を観察者に提供することができる（ディスプレイが上下方向について平坦である場合に比べて）。
【０１４５】
また、上述した実施の形態の場合、図１に示すように、頭部装着型ディスプレイ装置１０は、左眼用のディスプレイ１４と、右眼用のディスプレイ１６とを有する。これに代わって、１つのディスプレイが左眼用の画像と右眼用の画像とを呈示してもよい。
【０１４６】
（第３の実施の形態）
図２３は、第３の実施の形態に係る頭部装着型ディスプレイ装置のディスプレイを示している。
【０１４７】
図２３に示すように、ディスプレイ２１４は、表示画面２１４ａを備える。その表示画面２１４ａの左側部分には、左眼用の第１の接眼レンズに投影される左眼用の第１の画像を表示する左眼用の第１の表示領域２１４ｂと、左眼用の第２の接眼レンズに投影される左眼用の第２の画像を表示する左眼用の第２の表示領域２１４ｃとが含まれる。一方、表示画面２１４ａの右側部分には、右眼用の第１の接眼レンズに投影される右眼用の第１の画像を表示する右眼用の第１の表示領域２１４ｄと、右眼用の第２の接眼レンズに投影される右眼用の第２の画像を表示する右眼用の第２の表示領域２１４ｅとが含まれる。
【０１４８】
このように、１つのディスプレイ２１４が左眼用と右眼用の画像を表示するため、左眼と右眼それぞれにディスプレイを設ける場合に比べて、ディスプレイの制御が簡素化される（例えば、ディスプレイの制御回路が１つで済む）。また、左眼用のディスプレイと右眼用のディスプレイの場合、２基のディスプレイの間の個体差を考慮してそれぞれのディスプレイの画質等を微調整する必要があるが、１つのディスプレイ２１４であればその必要がなくなる。
【０１４９】
ディスプレイに関して言えば、平板状のディスプレイを使用することも可能である。
【０１５０】
（第４の実施の形態）
図２４は、第４の実施の形態に係る頭部装着型ディスプレイ装置を示している。なお、ディスプレイを除く他の構成要素は、図１に示す実施の形態の構成要素と実質的に同一であるため、同一の符号が付されている。
【０１５１】
図２４に示すように、第４の実施の形態に係る頭部装着型ディスプレイ装置３１０は、３つの平板状ディスプレイ３１４、３１５、３１６を有する。
【０１５２】
ディスプレイ３１４は、前方視状態の眼球ｅ（Ｌ）、ｅ（Ｒ）の瞳孔ｐ（Ｌ）、ｐ（Ｒ）に向きつつ、それらの瞳孔ｐ（Ｌ）、ｐ（Ｒ）の前方に配置されている。ディスプレイ３１４はまた、左眼用の第１の接眼レンズ１８に投影する左眼用の第１の画像を表示する左眼用の表示領域３１４ａと、右眼用の第１の画像を表示する右眼用の表示領域３１４ｂとをその表示画面に備える。
【０１５３】
ディスプレイ３１５は、前方視状態の左眼の眼球ｅ（Ｌ）の瞳孔ｐ（Ｌ）に向きつつ、その瞳孔ｐ（Ｌ）の外側斜め前方に配置されている。ディスプレイ３１５はまた、左眼用の第２の接眼レンズ２２に投影する左眼用の第２の画像を表示する表示領域３１５ａをその表示画面に備える。
【０１５４】
ディスプレイ３１６は、前方視状態の右眼の眼球ｅ（Ｒ）の瞳孔ｐ（Ｒ）に向きつつ、その瞳孔ｐ（Ｒ）の外側斜め前方に配置されている。ディスプレイ３１６はまた、右眼用の第２の接眼レンズ２４に投影する右眼用の第２の画像を表示する表示領域３１６ａをその表示画面に備える。
【０１５５】
ディスプレイ３１４、３１５、３１６のそれぞれは、平板状であるために製造が容易であり、そのため製造コストが低価である。
【０１５６】
製造コストに関して、接眼レンズの製造コストも下げることが可能である。
【０１５７】
例えば、図９Ａ及び９Ｂに示すように、第２の接眼レンズ２２は、光軸Ｃ２を中心とする回転対称形状ではないため、回転対称のレンズに比べて製造コストが高い。具体的には、フレネルレンズ部２２ａの作製（すなわち複数の環状Ｖ字溝の加工）に時間がかかる。特に、接眼レンズ２２を薄くするために、また観察者に目立ちにくくするために、複数の環状Ｖ字溝の深さが小さい。そのため、Ｖ字溝を多数加工する必要があり、その加工に時間がかかる。
【０１５８】
その対処として、図２５に示す第２の接眼レンズ４２２は、フレネルレンズ部４２２ａの複数のＶ字溝４２２ｃにおいて、一部の深さが異なる。具体的には、第１の接眼レンズに近い側（観察者の視野の中央側）のＶ字溝４２２ｃの深さに比べて、第１の接眼レンズから遠い側（視野の境界側）のＶ字溝４２２ｃ’の深さが大きい。本実施の形態に場合、図２５に示すように、前方視状態の眼球ｅ（Ｌ）における誘導視野Ａ３および補助視野Ａ４内のＶ字溝４２２ｃの深さに比べて、補助視野Ａ４より外側のＶ字溝４２２ｃ’の深さが大きい。
【０１５９】
このＶ字溝４２２ｃ’は、図２５に示すように観察者が前方を見ているときには視野内に存在しないが、観察者が外側斜め前方に視線を変更したときに視野（補助視野Ａ４）内に存在する。また、このＶ字溝４２２ｃ’は、視野全体の境界（約１００度）近傍であるため、深さが大きくても観察者に目立ちにくい。
【０１６０】
フレネルレンズ部４２２ａの一部のＶ字溝４２２ｃ’の深さが他に比べて相対的に大きいために、全てのＶ字溝を小さい深さで形成する場合に比べて、第２の接眼レンズ４２２に形成するＶ字溝の総数が減少する。
【０１６１】
具体的に説明すると、Ｖ字溝の深さが小さくなるほど、すなわちＶ字溝の幅が小さくなるほど、その結果としてレンズに形成されるＶ字溝の総数は増加する。したがって、一部のＶ字溝の深さを大きくする（すなわち幅を大きくする）ことにより（他のＶ字溝に比べて）、レンズに形成されるＶ字溝の総数を減らすことができる。そのため、フレネルレンズの作製時間（加工時間）が短縮される。それにより、第２の接眼レンズの製造コストを下げることができる。
【０１６２】
さらに、上述した実施の形態の場合、図２に示すように、第２の接眼レンズ２２は、第１の接眼レンズ１８に対して水平方向に並んでいる。すなわち、第１の接眼レンズ１８は、前方視状態の眼球ｅ（Ｌ）における水平方向の視野の中央側に配置され、第２の接眼レンズ２２はその視野の境界側に配置されている。しかしながら、本開示の実施の形態は、これに限らない。例えば、第１の接眼レンズが上下方向の視野の中央側に配置され、２つの第２の接眼レンズがその視野の上側境界側と下側境界側それぞれに配置されてもよい。また、例えば、第１の接眼レンズが、前方視状態の眼球の前方に配置され、水平方向の視野の境界側、上下方向の視野の上側境界側、および上下方向の視野の下側境界側それぞれに第２の接眼レンズを配置してもよい（すなわち、単眼について、４枚の接眼レンズが配置される）。
【０１６３】
さらにまた、上述した実施の形態の場合、図１に示すように、左眼用として、２枚の接眼レンズ１８、２２が使用され、右眼用として２枚の接眼レンズ２０、２４が使用されている。しかしながら、単眼に対して使用される接眼レンズの枚数は２枚以上あってもよい。例えば、図１に示す左眼用の第１の接眼レンズ１８と第２の接眼レンズ２２との間に第３の接眼レンズが設けられてもよい。同様に、右眼用の第１の接眼レンズ２０と第２の接眼レンズ２４との間に第３の接眼レンズが設けられてもよい。すなわち、本開示は、広義には、ユーザの頭部に装着して使用される頭部装着型ディスプレイ装置であって、前記ユーザの瞳孔が前記ユーザの前方を向いた状態において前記瞳孔の前方に配置され、第１の画像を表示する第１の表示部と、前記状態において前記瞳孔の斜め前方に配置され、第２の画像を表示する第２の表示部と、前記状態において前記瞳孔と前記第１の表示部との間に配置され、前記第１の画像を前記瞳孔に投影する第１の接眼レンズと、前記状態において前記瞳孔と前記第２の表示部との間に配置され、前記第２の画像を前記瞳孔に投影する第２の接眼レンズと、を備え、前記第２の表示部及び前記第２の接眼レンズは、前記第２の画像の少なくとも一部を、前記ユーザの網膜の後方に向かって集光させる、頭部装着型ディスプレイ装置である。
【０１６４】
以上のように、本開示における技術の例示として、実施形態を説明した。そのために、添付図面及び詳細な説明を提供した。したがって、添付図面及び詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１６５】
また、前述の実施形態は、本開示における技術を例示するためのものであるから、特許請求の範囲又はその均等の範囲において種々の変更、置き換え、付加、省略等を行うことができる。
【０１６６】
(補足)
図１において、頭部装着型ディスプレイ装置１０は、第１の表示部１４ｂと第２の表示部１４ｃと、第１の接眼レンズ１８と、第２の接眼レンズ２２とを備える。
【０１６７】
図１において、ユーザの瞳孔ｐ（Ｌ）は、ユーザの前方を向いている。このとき、第１の表示部１４ｂは、ユーザの瞳孔ｐ（Ｌ）の前方に配置され、第２の表示部１４ｃは、ユーザの瞳孔ｐ（Ｌ）の斜め前方に配置される。第１の接眼レンズ１８は、第１の表示部１４ｂと瞳孔ｐ（Ｌ）の間に配置され、第２の接眼レンズ２２は、第２の表示部１４ｃと瞳孔ｐ（Ｌ）の間に配置される。第１の表示部１４ｂは、第１の画像を表示し、第１の接眼レンズ１８を介して瞳孔ｐ（Ｌ）に投影する。第２の表示部１４ｃは、第２の画像を表示し、第２の接眼レンズ２２を介して瞳孔ｐ（Ｌ）に投影する。
【０１６８】
図１又は１２において、第２の表示部１４ｃと第２の接眼レンズ２２の間の距離は、第１の表示部１４ｂから遠さかるほど短くなる。これにより、第２の画像の少なくとも一部は、ユーザの網膜の後方に向かって集光され、ユーザの網膜上においてデフォーカスされる。ここで、「ユーザの網膜の後方に向かって集光」する、とは、実際に網膜の後ろに光が届くことを意味せず、仮想上の集光面の少なくとも一部が、ユーザの網膜の後方に設定されていることを意味する。
【０１６９】
なお、図１に示されるように第２の接眼レンズ２２のレンズ面が微細な段差を有する場合、第２の表示部１４ｃと第２の接眼レンズ２２の間の距離は、それらの段差に応じてわずかに変化する。しかし、本開示における「第２の表示部と第２の接眼レンズの間の距離」は、そのようなわずかな変化を無視した場合の距離に相当し、より具体的には、第２の表示部と、第２の接眼レンズの段差の稜線に接する包絡面との間の距離に相当する。
【０１７０】
図８Ａ及び８Ｂにおいて、第１の接眼レンズ１８はフレネルレンズである。第１の接眼レンズ１８のレンズ面は、中心を含む凸レンズ面と、凸レンズ面を囲み、かつ、外側に向かって配列された複数の輪帯面と、隣接する２つの輪帯面の間をそれぞれつなぐ複数のライズ面とを含む。凸レンズ面と複数の輪帯面とが、単純な凸レンズと同様の機能を果たす。ここで、「レンズ面の中心」とは、レンズ面と光軸との交点を意味する。図８Ａに示される例では、凸レンズ部１８ｃの表面が凸レンズ面に相当し、フレネルレンズ部１８ｄの表面が輪帯面及びライズ面に相当する。図８Ａに示される例では、凸レンズ面の頂点（すなわち中心）は、複数の輪帯面及び複数ライズ面がなす複数の稜線に接する包絡面よりも突出している。第１の接眼レンズ１８は、例えば、図８Ｂの囲み線ＣＬ１で示されるような矩形であってもよい。このとき、輪帯面の少なくとも一部は、部分的に凸レンズ面を囲む。言い換えると、本開示における「輪帯面」は、完全に閉じていなくてもよく、レンズの端部において途切れていてもよい。
【０１７１】
図９Ａ及び９Ｂにおいて、第２の接眼レンズ２２はフレネルレンズである。第２の接眼レンズ２２のレンズ面は、中心を含む凸レンズ面と、凸レンズ面を囲み、かつ、外側に向かって配列された複数の輪帯面と、隣接する２つの輪帯面の間をそれぞれつなぐ複数のライズ面とを含む。凸レンズ面と複数の輪帯面とが、単純な凸レンズと同様の機能を果たす。第２の接眼レンズ２２は、例えば、図９Ｂの囲み線ＣＬ２で示されるように、その輪郭の一端が直線形状であり、反対側の端が円弧形状であるような形状であってもよい。このとき、一番外側の輪帯面は、円弧形状に沿ってカーブしていてもよい。図９Ａの一点鎖線Ｃ２の右側の領域において、ライズ面のそれぞれの法線ベクトルは、光軸Ｃ２に垂直に向かう方向から、第２の表示部１４ｃに近づく方向に傾斜している。他方、図９Ａの一点鎖線Ｃ２の左側の領域において、ライズ面のそれぞれの法線ベクトルは、光軸Ｃ２に垂直に向かう方向から、第２の接眼レンズ２２の内部に近づく方向に傾斜している。また、図９Ｂに示されるように、複数の輪帯面の中心は、凸レンズ面の中心と一致しない。そのため、ある１つの輪帯面の幅に着目すると、図中右側における幅よりも、図中左側における幅の方が狭い。
【０１７２】
図７及び８Ｂに示される例では、第１の接眼レンズ１８のレンズ面は、光軸方向から見たときに、直線形状の上端１８ｅと直線形状の下端１８ｆを有する。ただし、第１の接眼レンズ１８のレンズ面の形状は、これに限定されない。例えば、上端１８ｅは上に凸の曲線形状であってもよく、下端１８ｆは下に凸の曲線形状であってもよい。
【０１７３】
図７及び９Ｂに示される例では、第２の接眼レンズ２２のレンズ面は、光軸方向から見たときに、直線形状の上端２２ｄと直線形状の下端２２ｅを有する。ただし、第２の接眼レンズ２２のレンズ面の形状は、これに限定されない。例えば、上端２２ｄは、上に凸の曲線形状であってもよく、下端２２ｅは、下に凸の曲線形状であってもよい。
【０１７４】
図２２に示される例では、第１の表示部１１４ｂと第２の表示部１１４ｃは、１つの曲面ディスプレイパネル１１４に含まれているが、例えば、２枚の曲面ディスプレイパネルに別々に設けられてもよい。
【０１７５】
第１の表示部１１４ｂと第２の表示部１１４ｃの表示面が曲面である場合、例えば、第１の接眼レンズ１８及び第２の接眼レンズ２２のサイズを大型化することができ、これにより、ユーザの鉛直方向における視野角を大きくすることができる。
【産業上の利用可能性】
【０１７６】
本開示は、頭部に装着して使用される頭装着型ディスプレイ装置であれば適用可能である。
【符号の説明】
【０１７７】
１０      頭部装着型ディスプレイ装置
１４ｂ    第１の表示部（ディスプレイの第１の表示領域）
１４ｃ    第２の表示部（ディスプレイの第２の表示領域）
１６ｂ    第１の表示部（ディスプレイの第１の表示領域）
１６ｃ    第２の表示部（ディスプレイの第２の表示領域）
１８      第１の接眼レンズ
２０      第１の接眼レンズ
２２      第２の接眼レンズ
２４      第２の接眼レンズ
ｅ（Ｌ）  眼球
ｅ（Ｒ）  眼球
ｐ（Ｌ）  瞳孔
ｐ（Ｒ）  瞳孔
【図１】
2018005221.tif 000003
【図２】
2018005221.tif 000004
【図３】
2018005221.tif 000005
【図４】
2018005221.tif 000006
【図５】
2018005221.tif 000007
【図６】
2018005221.tif 000008
【図７】
2018005221.tif 000009
【図８Ａ】
2018005221.tif 000010
【図８Ｂ】
2018005221.tif 000011
【図９Ａ】
2018005221.tif 000012
【図９Ｂ】
2018005221.tif 000013
【図１０】
2018005221.tif 000014
【図１１】
2018005221.tif 000015
【図１２】
2018005221.tif 000016
【図１３】
2018005221.tif 000017
【図１４】
2018005221.tif 000018
【図１５】
2018005221.tif 000019
【図１６】
2018005221.tif 000020
【図１７】
2018005221.tif 000021
【図１８】
2018005221.tif 000022
【図１９】
2018005221.tif 000023
【図２０】
2018005221.tif 000024
【図２１】
2018005221.tif 000025
【図２２】
2018005221.tif 000026
【図２３】
2018005221.tif 000027
【図２４】
2018005221.tif 000028
【図２５】
2018005221.tif 000029